(57)【要約】      （修正有）【課題】浮き本体に備えられた錘の重さを調節可能とするとともに、魚信部材を真っ直ぐに装着することのできる性能を備えるとともに魚信部材が折れ曲がった場合でも浮き全体を交換する必要がない釣り用浮きを提供する。【解決手段】下端に糸通部２を備えるとともに下端側に固定錘３が内蔵された棒状の浮き本体１と、この浮き本体１の上端６に魚信部材が備えられた釣り用浮きにおいて、魚信部材は、浮き本体１に弾性部材を介して着脱自在に接続可能とするとともに、浮き本体１の上端６側にはパイプ部材４が埋設され、このパイプ部材４の先端５側が浮き本体１の上端６よりも外方に突出配置され、パイプ部材４の内部に調整用の追加錘７を挿入配置可能とする。同時に、魚信部材を真っ直ぐに保持できる機能も有することができる。【選択図】図１
0003232681.tif 000002
【実用新案登録請求の範囲】
【請求項１】
下端側に糸通部を備え、固定錘が内蔵された棒状の浮き本体と、この浮き本体の上端に弾性部材を介して着脱自在に接続可能とする魚信部材が備えられた釣り用浮きにおいて、上記浮き本体の上端内部にパイプ部材が埋設されるとともに、上記弾性部材の内側にて当該パイプ部材の先端側が上記浮き本体よりも外方に突出配置され、上記パイプ部材の内部に調整用の追加錘を挿入することにより、浮力の調整を後から可能としたことを特徴とする釣り用浮き。
【請求項２】
上記浮き本体に埋設された上記パイプ部材には、少なくとも上記浮き本体から突出した位置に上記追加錘が挿入配置されたことを特徴とする請求項１の釣り用浮き。
【請求項３】
上記パイプ部材内には、針金状の金属素材の追加錘の基端側が挿入固定されるとともに、当該追加錘の先端側が、上記弾性部材よりも外方に突出するよう配置されたことを特徴とする請求項２の釣り用浮き。
【考案の詳細な説明】
【技術分野】
【０００１】
本考案は、上端に弾性部材を介して魚信部材を接続するとともに下端側に錘を内蔵した棒状の釣り用浮きに関するものである。
【背景技術】
【０００２】
近年、釣りに使用する浮きとして、特許文献１に示す如く水面で自立する棒浮きが主流となってきている。この棒浮きは、釣り場や釣り方を選ばず水面上における視認性が高いことから、幅広く使用されている。このような浮きの中でも特に、特許文献１に示す如く浮き本体上端に魚信部材を備えるとともに、下端側に錘を内蔵した細長い下膨れ形状の釣り用浮きが従来より使用されている。
【０００３】
【特許文献１】実開昭５５−１６９１８４号公報
【考案の開示】
【考案が解決しようとする課題】
【０００４】
そして上記の如き従来の浮きには、浮き本体に浮力が表示されている。しかしながら、当該浮き本体が木製など天然素材の場合は同じ大きさの製品であっても浮き本体に使用する木等の原料の部位によってその重量が異なるため、人工素材のように重さや密度など、全てを厳密に同じにすることは困難であった。そのため、このような天然素材の浮き本体に浮力が表示されていた場合でも、実際の浮力とは異なるため釣りの際に表記されている浮力と実際は異なっているという支障をきたす場合があった。そのような場合には、従来の釣り用浮きには錘が浮き本体の内部に固定埋設されているため、後から当該錘の重さの調節を行うことは困難であった。
【０００５】
また、従来の浮き本体に魚信部材を、弾性部材を介して離脱困難に固定配置した場合には、この浮き本体と魚信部材とを接続する弾性部材が保存方法によっては折れ曲がりや癖が生じ、再度浮き本体と魚信部材とを真っ直ぐに使用することが困難となる場合があった。また、魚信部材が長尺な場合には、当該魚信部材が折れ曲がったり破損したりする事態が生じやすくなっていた。そのため、上記事態が生じた場合には、新たな釣り用浮きを準備しなければならず効率が悪いとともにコストが高くつくものとなっていた。
【０００６】
そこで、本考案は上述の如き課題を解決しようとするものであって、浮き本体に備えられた錘の重さを調節可能とするとともに、魚信部材が折れ曲がった場合でも浮き全体を交換する必要がない釣り用浮きを得ようとするものである。
【課題を解決するための手段】
【０００７】
本考案は上述の如き課題を解決するため、下端側に糸通部を備え、固定錘が内蔵された棒状の浮き本体と、この浮き本体の上端に弾性部材を介して着脱自在に接続可能とする魚信部材が備えられた釣り用浮きにおいて、上記浮き本体の上端内部にパイプ部材が埋設されるとともに、上記弾性部材の内側にて当該パイプ部材の先端側が上記浮き本体よりも外方に突出配置され、上記パイプ部材の内部に調整用の追加錘を挿入することにより、浮力の調整を後から可能としたものである。
【０００８】
また、上記浮き本体に埋設された上記パイプ部材には、少なくとも上記浮き本体から突出した位置に上記追加錘が挿入配置されたものであっても良い。
【０００９】
また、上記パイプ部材内には、針金状の金属素材の追加錘の基端側が挿入固定されるとともに、当該追加錘の先端側が、上記弾性部材よりも外方に突出するよう配置されたものであっても良い。上記の如く構成することにより、例えば管状の魚信部材を使用した場合において、パイプ部材から突出した針金状の追加錘によって当該魚信部材の空洞部に挿通しやすいように誘導できるだけでなく、上記弾性部材に装着した後も、当該弾性部材による歪みやガタつきをなくし、しっかりと浮き本体に装着することが可能となる。その上、魚信部材のぐらつきを解消することができる。そのため、細長い魚信部材であっても浮き本体に装着した際に不安定になることがなく、真っ直ぐに接続することができる。
【考案の効果】
【００１０】
本考案は上述の如く、浮き本体の上端側にパイプ部材を埋設され、このパイプ部材の先端側を上記浮き本体の上端よりも外方に突出配置し、上記パイプ部材の内部に調整用の追加錘を挿入配置可能としたものであるから、浮き本体に内蔵された錘のみでは当該浮き本体に表示された浮力を実現することが困難な場合であっても、後から調整用の追加錘を上記浮き本体のパイプ部材に挿入することにより、上記浮き本体に表示された浮力に忠実な浮力を実現することができる。
【００１１】
また上記の如く上記浮き本体の上端側に設けたパイプ部材に調整用の追加錘を挿入配置することにより、浮き本体の下端側のみならず当該浮き本体の上方にも錘が位置するものとなる。そのため、浮き本体の下端側のみに錘を内蔵した従来品と比較して、浮き本体の重心が分散することにより、波による揺れを抑制することができるとともに、浮き本体を安定して水面に配置することができる。よって、本考案の釣り用浮きを使用することにより、釣り人には魚信が見えやすくなり、釣果の向上が期待できる。
【００１２】
また本考案の魚信部材は、上記浮き本体の上端側に突出したパイプ部材を芯としてその周囲に弾性部材を装着固定することが可能であり、その結果、魚信部材の基端側を弾性部材に着脱自在に接続可能とすることができるものである。上記の如く弾性部材を用いることにより、浮き本体と魚信部材との接続部に柔軟性が生まれ、折れ曲がりにくいものとなる。一方、万が一踏みつけるなどして魚信部材が折れ曲がった場合でも浮き全体を交換する必要がなく、折れ曲がった魚信部材のみを新しいものに交換することにより、当初の状態に復元することが可能となる。そのため、同じ浮き本体を長期間にわたって使用することができ効率的且つ経済的あり、また目的に応じて多様な長さや色の魚信部材を選ぶことも可能である。また上記弾性部材は、魚信部材の防水の役割も担っている。
【実施例１】
【００１３】
以下、本考案の実施例1を図１〜３に於いて説明すると、(1)は浮き本体であって、紡錘型で長尺な棒状としている。またこの浮き本体(1)には、図１に示す如く下端に環状の糸通部(2)を設けるとともに、当該浮き本体(1)の下端側の内部には、固定錘(3)が軸心部に沿って内蔵されている。
【００１４】
また図１に示す如く、浮き本体(1)の上端側には軸心方向にパイプ部材(4)が埋設されており、このパイプ部材(4)の先端(5)側が、浮き本体(1)の上端(6)よりも外方に突出するよう設けられている。そしてこのパイプ部材(4)の内部には、図１に示す如く追加錘(7)を挿入配置している。
【００１５】
このように、浮き本体(1)に設けられたパイプ部材(4)の内部に追加錘(7)を挿入可能とすることにより、浮き本体(1)に内蔵された固定錘(3)のみでは当該浮き本体(1)に表示された浮力を実現困難な場合であっても、後から調整用の追加錘(7)を上記浮き本体(1)のパイプ部材(4)に挿入することにより、当該浮き本体(1)に表示された浮力を確実に得ることができる。よって、従来品のような浮力の正確性の問題が発生する事態が生じることなく、安心して使用することができる。
【００１６】
また上記の如く調整用の追加錘(7)を浮き本体(1)の上端側に設けたパイプ部材(4)に挿入配置することにより、浮き本体(1)の下端側のみならず浮き本体(1)の上端側にも錘が位置するものとなるため、浮き本体(1)の下端側のみに錘を内蔵した従来品と比較して、浮きの重心が安定するものとなる。よって本実施例の浮きを釣りに使用した場合には、波によるふらつきを軽減することが可能となり水面に釣り用浮きを安定した状態で配置できるため、当該釣り用浮きを使用する釣り人にとっては、魚信(アタリ)を目視しやすいものとなる。
【００１７】
また上記パイプ部材(4)の先端(5)には、図２、３に示す如く円筒状の弾性部材(8)の一端(12)側を設けている。尚、この弾性部材(8)はゴムやウレタンなどの柔軟性のある素材にて形成している。そしてこの弾性部材(8)の他端(13)には、図３に示す如く内部を空洞とした長尺で細長い魚信部材(10)が接続されている。即ち、当該魚信部材(10)の基端部(11)は上記弾性部材(8)の他端(13)に着脱自在に接続配置されており、上記弾性部材(8)の一端(12)側は、パイプ部材(4)の先端(5)に着脱不能に固定配置されている。これにより、本実施例の釣り用浮きが完成する。
【００１８】
上記の如く、当該魚信部材(10)を上記浮き本体(1)に弾性部材(8)を介して着脱自在に接続可能とすることにより、本実施例の釣り用浮きにて釣りを行った際に魚信部材(10)が折れ曲がった場合でも、浮き全体を交換する必要がなく折れ曲がった魚信部材(10)のみを新しいものに交換するのみで当初の状態に復元できるため、同じ浮き本体(1)を長期間にわたって使用することができ効率的且つ経済的である。
【実施例２】
【００１９】
以下、本考案の実施例２を図４〜６於いて説明すると、(31)は浮き本体であって、下膨れ型の長尺で細長い棒状としている。またこの浮き本体(31)には、図４に示す如く下端に環状の糸通部(32)を突設するとともに、当該浮き本体(31)の下端側内部には軸心部に沿って固定錘(33)が内蔵されている。またこの浮き本体(31)の上端(36)側には円筒状のパイプ部材(34)が設けられている。
【００２０】
即ち図５に示す如く、浮き本体(31)の上端側には、軸心部に沿ってパイプ部材(34)が埋設されており、このパイプ部材(34)の先端(35)側が浮き本体(31)の上端(36)よりも外方に突出するよう設けられている。そしてこのパイプ部材(34)の内部には、図５に示す如く針金状の追加錘(37)を挿入配置している。
【００２１】
このように、浮き本体(31)に設けられたパイプ部材(34)の内部に追加錘(37)を配置可能なものとすることにより、浮き本体(31)に内蔵された固定錘(33)のみでは当該浮き本体(31)に表示された浮力を確実に得ることが困難な場合であっても、後から調整用の追加錘(37)を上記浮き本体(31)のパイプ部材(34)に挿入することにより、上記浮き本体(31)に表示された浮力を実現することができる。よって、従来品のような浮力の正確性の問題が発生しにくくなるため釣り人は安心して本実施例の釣り用浮きを使用することができる。
【００２２】
またこのように調整用の追加錘(37)を挿入配置することにより、浮き本体(31)の下端側のみならず浮き本体(31)の上端側にも錘が位置するものとなるため、浮き本体(31)の下端側のみに錘を内蔵した従来品と比較して、浮きの重心が分散することにより、波による揺れを抑制することが可能となる。よって本実施例の浮き本体(31)を備えた釣り用浮きを使用した場合には、波によるふらつきを軽減することが可能となり水面に浮きを安定した状態で配置できるため、釣り人はアタリ（魚信）を目視しやすいものとなる。
【００２３】
また本実施例では、上記実施例１とは異なり追加錘(37)として針金状のものを使用している。この針金状の追加錘(37)は図５に示す如く、パイプ部材(34)の上端側に挿入配置されるとともに、当該追加錘(37)がパイプ部材(34)の上端側に位置するよう当該針金錘をパイプ部材(34)に接着剤(図示せず。)にて固定配置されている。またこの追加錘(37)の先端(38)側は、図５に示す如く、以下に説明するパイプ部材(34)に設けた弾性部材(40)の他端(42)側よりも外方に突出するよう位置調整されている。
【００２４】
即ち上記パイプ部材(34)の先端(35)には、図５に示す如く円錐状の弾性部材(40)の一端(41)側を接続している。尚、この弾性部材(40)はゴムやウレタンなどの柔軟性のある素材にて形成している。そしてこの弾性部材(40)の他端(42)には、図６に示す如く細長い管状の魚信部材(43)を接続可能としている。ここで上記の通り、当該弾性部材(40)の他端(42)側には針金状の追加錘(37)の先端(38)部分が当該弾性部材(40)よりも外方に突出して固定配置されている。
【００２５】
そのため、上記魚信部材(43)を弾性部材(40)に取り付ける際に、図６に示す如く当該追加錘(37)を空洞の魚信部材(43)の内部に挿通させながら当該魚信部材(43)の基端部(44)を弾性部材(40)の他端(42)側に接続配置することができる。そのため、初心者でも細長く長尺な魚信部材(43)を追加錘(37)に沿って弾性部材(40)に浮き本体(31)と同一直線上にまっすぐ接続することが可能となる。
【００２６】
また上記実施例１では、当該魚信部材(10)の基端部(11)を弾性部材(8)の他端(13)に着脱自在に接続配置するとともに、上記弾性部材(8)の一端(12)側をパイプ部材(4)の先端(5)に着脱不能に固定配置しているが、本実施例においても弾性部材(40)の一端(41)側をパイプ部材(34)に着脱困難に固定配置するとともに、当該弾性部材(40)の他端(42)側に、上記魚信部材(43)の基端部(44)を着脱自在に接続可能としている。
【００２７】
また本実施例の魚信部材(43)は上記の如く、上記浮き本体(31)に弾性部材(40)を介して着脱自在に接続可能としているものであるから、実際に使用した際に魚信部材(43)が折れ曲がった場合でも、浮き全体を交換する必要がなく折れ曲がった魚信部材(43)のみを新しいものに交換するのみで当初の状態に復元できるため、同じ浮き本体(31)を長期間にわたって使用することができ効率的且つ経済的である。
【図面の簡単な説明】
【００２８】
【図１】本考案の実施例１を示す浮き本体の部分切欠断面図。
【図２】実施例１の組み立て概念図。
【図３】実施例１の部分拡大断面図。
【図４】本考案の実施例２を示す浮き本体の部分切欠断面図。
【図５】図４の部分拡大断面図。
【図６】実施例２の部分拡大断面図。
【符号の説明】
【００２９】
１,31  浮き本体
2,32  糸通部
3,33  固定錘
4,34  パイプ部材
5,35  先端
6,36  上端
7,37  追加錘
8,40  弾性部材
10,43  魚信部材
11,44  基端部
12,41  一端
13,42  他端
38     先端
【図１】
0003232681.tif 000003
【図２】
0003232681.tif 000004
【図３】
0003232681.tif 000005
【図４】
0003232681.tif 000006
【図５】
0003232681.tif 000007
【図６】
0003232681.tif 000008